(57)【要約】【課題】収納バッグ(bag)の排気弁の構造改良を提供する。【解決手段】収納バッグの排気弁２は、弁の本体２１、バルブプレート２２及びカバー２３で構成される。弁の本体は凹んでいる盤状である。弁の内溝２１２底部にはフランジ２１３、外底部には凸管２１５が設けられ、凸管の内孔２１６がフランジ２１３の底部を通りバルブＡを形成する。凸管は、周囲に排気通路２１７、内部にロックリング２１８が設けられる。バルブプレートは軟性のプレートである。底部には凸柱２２３、凸柱の底端には大きい直径の嵌め合い部２２４が設けられる。カバー２３は凹入の盤状で、複数の排気孔２３１が設置される。【選択図】図３
0003128182.tif 000002
【実用新案登録請求の範囲】
【請求項１】
弁の本体、バルブプレート、カバーを備える収納バッグの排気弁において、
弁の本体は凹むような盤状であり、弁の内溝底部には、一つの垂直のフランジが設けられ、弁の本体の外底部には、凸管があり、凸管の内孔はフランジの底部に通って、バルブを形成し、凸管の周囲には、複数の排気通路が設けられ、内孔及び弁の内溝とを通り、凸管の底端に近い内部には、ネックの収縮のロックリングが設けられ、
バルブプレートは軟性のプレートであり、底部には、凸柱が設けられ、凸柱の自由端には、大きい直径の嵌め合い部が設けられ、バルブプレートは弁の本体におけるフランジの底部にアセンブリされ、バルブは閉められ、凸柱は凸管の中に挿入され、嵌め合い部は凸管のロックリングを通過して嵌め合わされ、
カバーは凹入の盤状であり、真中には複数の排気孔が設置され、カバーは弁の本体の内部におけるフランジに嵌め合って結ばれ、バルブプレートを覆っていることを特徴とする収納バッグの排気弁。
【請求項２】
弁の本体の周縁には、一つの水平のフランジが設けられ、ゴムバッグと結ばれ、凸管の周囲の各排気通路の間には、凸肋片が設けられ、空気の排気通路に入ることが可能であることを特徴とする請求項１に記載の収納バッグの排気弁。
【請求項３】
弁の本体、弁の内溝の底部におけるフランジ外壁には、一つのロックリングが設けられ、カバーの内壁には一つの嵌め合い溝が設置され、前記フランジ外壁のロックリングとマッチするように相互に嵌めあっていることを特徴とする請求項１に記載の収納バッグの排気弁。
【請求項４】
バルブプレートの周囲には、複数の凹弧部が設けられ、バルブプレートには数枚の活動弁が形成されていることを特徴とする請求項１に記載の収納バッグの排気弁。
【請求項５】
カバーの外周囲の直径は弁の本体における弁の内溝の直径より小さく、カバーは弁の本体内部のフランジに嵌められ、バルブプレートが覆われると、カバーの周囲における弁の内溝部位には、集塵機の管入口に嵌め合う溝槽が形成されていることを特徴とする請求項１に記載の収納バッグの排気弁。
【請求項６】
カバーの上部周囲には、一つの傾斜錐状のフランジプレートが設けられ、フランジプレートにより、弁の本体における弁の内溝は密封され、フランジプレートには、複数の凹溝が配置され、前記排気孔に通すことを特徴とする請求項１に記載の収納バッグの排気弁。
【考案の詳細な説明】
【技術分野】
【０００１】
本考案は収納バッグの排気弁に関し、特に、収納バッグの空気排出に応用され、包装体積を縮める排気弁に関する。
【背景技術】
【０００２】
従来から、既知の収納バッグの排気構造は、通常収納バッグに、排気弁が設けられている。排気弁を経由して、ユーザ（user）は集塵機又は他の吸気装置で、バッグの中の空気を排出させる。それにより、体積を縮めて、バッグの空気により物品の変質を招くことを避けるなどの効果を達成する。
【０００３】
しかし、従来から、既知の排気弁には、内部に活動自在のバルブプレート（valve plate）を設置しなければならない。それで、空気をワンウェー（one way）のように、バッグの外へ排出させ、空気がもう一度バッグへ入ることを防ぐ。そのため、活動自在のバルブプレートは、繁雑な結構でアセンブリ（assembly）され、固定されるほか、少なくとも、一つのスプリング（spring）が使用され、バルブプレートを押す。
【０００４】
それで、バルブプレートは、排気のあとで自動的にクローズド（closed）される。その結果、排気弁の繁雑な構造、高いコスト（cost）を招く。また、既知の排気弁は、特定の口径の集塵機のみに対応するので、ユーザは、いつも利便に吸気の動作を行うことができなかった。
【考案の開示】
【考案が解決しようとする課題】
【０００５】
したがって、本考案の主な目的は収納バッグの排気弁の構造改良を提供することにある。収納バッグの排気弁の構造改良は、主に弁の本体、バルブプレート及びカバー（cover）などの要素から形成される。バルブプレートと弁の本体とのアセンブリ構造改良を経由して、バルブプレートが簡易に弁の本体と嵌め合うので、軟性のバルブプレートは、おりよく弁の本体の内部におけるバルブ入口をクローズドする。
そして、集塵機又は他の吸気装置が収納バッグの余計な空気を吸っているうちに、バルブプレートが自動的に開けられて、空気をワンウェーのようにバッグの外へ排出させる。この構造特徴の設計を経由して、排気弁の内部構造、コンポーネント（component）及びアセンブリプロセス（assembly process）を簡易化させると共に、製造及び使用のコスト）も低降される。
【０００６】
本考案のもう一つの目的は、収納バッグの排気弁の構造改良を提供することにある。排気弁と集塵機の管入口とが安定して嵌め合うために、カバーの直径は弁の本体の内口径より小さい。そして、カバーのアセンブリをしたあと、弁の本体には一つの溝槽が形成され、集塵機又は他の吸気装置の管入口と簡易に嵌め合う。
【０００７】
本考案のもう一つの目的は収納バッグの排気弁の構造改良を提供することにある。排気弁が様々な集塵機の管入口の口径に通用するために、カバーの上部周囲には、一つの傾斜錐状のフランジプレート（flange plate）を設ける。また、フランジプレートには、いくつかの凹溝を配置して、排気孔に通す。そして、カバーのフランジプレートが弁の本体をまったく密封する。
斜錐状のフランジプレートを経由して、様々な集塵機の管入口と任意に接続することができる。凹溝が外部の空気を適量に集塵機に供給するので、収納バッグの空気が吸われ尽したときに、集塵機の空転により招いた発熱を避ける。
【課題を解決するための手段】
【０００８】
前掲の目的を達成するために、本考案の収納バッグの排気弁の構造改良は、主に弁の本体、バルブプレート及びカバーなどの要素から形成される。バルブプレートと弁の本体とのアセンブリ構造改良を経由して、バルブプレートが、簡易に弁の本体と嵌め合うので、軟性のバルブプレートはおりよく弁の本体の内部におけるバルブ入口をクローズドする。
そして、集塵機又は他の吸気装置が収納バッグの余計な空気を吸っているうちに、バルブプレートが自動的に開けられて、空気をワンウェーのようにバッグの外へ排出させる。そのような構造特徴の設計を経由して、排気弁の内部構造、コンポーネント及びアセンブリプロセスを簡易化させると共に、製造及び使用のコストも低降される。
【考案を実施するための最良の形態】
【０００９】
本考案の具体的な実施例に図面をあわせて詳しく説明してみよう。
【００１０】
各図面に示すように、本実施例の収納バッグの排気弁の構造改良において、収納バッグはゴムバッグ（gum bag）１１及び排気弁２などの要素から形成される。
まずは図１を参照して下さい。ゴムバッグ１には二枚のゴムフィルム（film）の三つのエッジ（edge）を熱で溶融して、単一開口の袋を形成する。
バッグの入口１１には、一つ又は二つのポリアミド樹脂性ファスナー（nylon fastener）１２を設けて、自由に開閉できる。又は図２に示すように、ゴムバッグ１の底端又は任意のエッジには、間隔を置くように、二本の熱溶融ライン（line）１３を形成し、真中には、一つの排気通路１４を形成する。
【００１１】
二本の熱溶融ライン１３の選定位置には、未溶融部１５を設けて、排気の隙間を構成するので、ゴムバッグ１を巻き押すと、バッグの中の空気は未溶融部１５及び排気通路１４を経由してバッグの外へ絞って排出される。
【００１２】
図３、図４を参照する。排気弁２は、弁の本体２１、バルブプレート２２及びカバー２３などの要素から構成される。弁の本体２１は凹むような盤状である。盤のエッジには、一つの水平のフランジ（flange）２１１を設けて、ゴムバッグ１と結ぶ。
弁の内溝２１２の底部には、一つの垂直のフランジ２１３が設けられる。フランジ２１３の外側壁には、一つの突き出すようなロックリング（lock ring）２１４を設けて、カバー２３との嵌め合い部とする。弁の本体２１の外側の底部には、凸管２１５がある。凸管２１５の内孔２１６とフランジ２１３の底部とを通るので、バルブ（valve）Ａを形成する。
【００１３】
凸管２１５の周囲には、いくつかの排気通路２１７を設けて、内孔２１６及び弁の内溝２１２とを通す。凸管２１５の底端に近い内部には、ネック収縮のロックリング２１８を設けて、バルブプレート２２の固定部とする。前掲のいくつかの排気通路２１７の間には、凸肋片２１９が設置される。バルブプレート２２は軟性の薄片であり、その周囲には、いくつかの凹弧部２２１が配置される。それで、バルブプレート２２は数枚の活動弁２２２を構成する。バルブプレート２２の底部には、凸柱２２３を設ける。凸柱２２３の自由端（底端）には、大きい直径の嵌め合い部２２４が形成される。それで、バルブプレート２２は弁の本体２１におけるフランジ２１３の底部にアセンブリされ、バルブＡを閉める。
【００１４】
また、凸柱２２３を図６に示すように凸管２１５の中に挿入し、嵌め合い部２２４を凸管２１５のロックリング２１８に通過させ嵌め合わせる。カバー２３は凹入の盤状であり、外周囲の直径は弁の本体２１の弁の内溝２１２の直径より小さい。真中には、複数の排気孔２３１を設置する。さらに、内壁には、一つの嵌め合い溝２３２を設ける。それで、カバー２３が弁の本体２１の内部におけるフランジ２１３に嵌め合って（図５、図６を参照）、バルブプレート２２を覆う。その結果、嵌め合い溝２３２とロックリング２１４とは相互に嵌め合って固定される。また、カバー２３の周囲における弁の内溝２１２には、集塵機の吸気管と合うような一つの溝槽を形成する。
【００１５】
前掲の弁の本体２１、バルブプレート２２及びカバー２３の構造改良設計を経由して、ゴムバッグ１の排気弁２は組成される。弁の本体２１の周囲におけるフランジ２１１とゴムバッグ１の内面を熱で溶融して合わせると、図６に示すように、本実施例の物品収納バッグは形成され、バッグの内部の空気が弁の本体２１を経由して、ワンウェーのように、外へ排出される。
【００１６】
本実施例により、収納バッグを応用する場合に、まずは物品をゴムバッグ１に入れてクローズドしたあとで、集塵機又は他の吸気装置の吸気管３をカバー２３の周囲における弁の内溝２１２につける（図７を参照）。集塵機をスタート（start）させると、ゴムバッグ１の余計な空気は排気通路２１７及び内孔２１６を経由して、バルブプレート２２を押し開ける。空気はカバー２３の排気孔２３１を経由して、集塵機により、吸い出される。ゴムバッグ１の空気が吸い尽くされたときに、包装圧縮の状態に入る。特に、本実施例はバルブプレート２２及び弁の本体２１のアセンブリ構造の改良を経由して、バルブプレート２２と弁の本体２１とが直接に結合されるので、別の弾性ユニット又はスプリングが要らない。要するに、排気弁２の内部構造、コンポーネント、アセンブリプロセスを簡易化させると共に、製造及び消費者の使用コストも低降される。
【００１７】
図８、図９を参照する。排気弁２が様々な集塵機又は吸気装置の吸気管３の口径に通用するために、本実施例ではカバー２３の上部周囲に、一つの傾斜錐状のフランジプレート２３３を設ける。また、フランジプレート２３３には、いくつかの凹溝２３４を配置して、前掲の排気孔２３１に通す。そして、カバー２３が弁の本体２１の内部のフランジ２１３にアセンブリされると、カバー２３のフランジプレート２３３が弁の本体２１における弁の内溝２１２をまったく密封する。つまり、斜錐状のフランジプレート２３３の構造改良を経由して、様々な集塵機の吸気管３の管入口と任意に接続することができ（図１０を参照）、サイズの合わないことを避ける。凹溝２３４の構造設計により、ゴムバッグ１の空気が吸われ尽くすときに、外部の空気を適量に集塵機に供給するので、集塵機の空気吸入ないうちに、空転により招いた発熱をまったく避ける。
【図面の簡単な説明】
【００１８】
【図１】本考案の一実施例による収納バッグの組成構造を示す立体説明図である。
【図２】本考案のもう一つの実施例による収納バッグの組成構造を示す立体説明図である。
【図３】本考案の一実施例による排気弁の分解構造を示す斜視図である。
【図４】本考案の一実施例による排気弁の分解構造を示す斜視図である。
【図５】本考案の一実施例による排気弁の組成構造を示す立体説明図である。
【図６】本考案の一実施例による排気弁のアセンブリ状態を示す断面図である。
【図７】本考案の一実施例による排気弁の応用動作を示す説明図である。
【図８】本考案のもう一つの実施例によるカバーのアセンブリを示す説明図である。
【図９】本考案のもう一つの実施例によるカバーの分解構造を示す説明図である。
【図１０】本考案のもう一つの実施例によるカバーの応用を示す説明図である。
【符号の説明】
【００１９】
１：ゴムバッグ、１１：バッグの入口、１２：ポリアミド樹脂性ファスナー、１３：熱溶融ライン、１４：排気通路、１５：未溶融部、２：排気弁、２１：弁の本体、２１１：フランジ、２１２：弁の内溝、２１３：フランジ、２１４：ロックリング、２１５：凸管、２１６：内孔、２１７：排気通路、２１８ロックリング、２１９肋片、２２：バルブプレート、２２１：凹弧部、２２２：活動弁、２２３：凸柱、２２４：嵌め合い部、２３：カバー、２３１：排気孔、２３２：嵌め合い溝、２３３：フランジプレート、２３４：凹溝、３：吸気管、Ａ：バルブ
【図１】
0003128182.tif 000003
【図２】
0003128182.tif 000004
【図３】
0003128182.tif 000005
【図４】
0003128182.tif 000006
【図５】
0003128182.tif 000007
【図６】
0003128182.tif 000008
【図７】
0003128182.tif 000009
【図８】
0003128182.tif 000010
【図９】
0003128182.tif 000011
【図１０】
0003128182.tif 000012